(57)【要約】【課題】オペレータや顧客による買い上げ商品情報の確認を容易にして会計のミスを減少させ、短い時間で安心して会計を行うことができるＰＯＳシステムを提供する。【解決手段】顧客が購入する商品に付されたコード情報を読み取った後、該読み取られたコード情報を顧客の買い上げ情報として会計用コードに記録して印刷媒体に印刷する登録装置と、印刷媒体に印刷された会計用コードに基づいて会計を行う会計装置と、からなるＰＯＳシステムにおいて、登録装置は、会計用コードに記録されたコード情報に対応する商品の名称を、該会計用コードと対応する位置に印刷する印刷手段、を備え、会計装置は、印刷媒体に印刷された会計用コードを読み取る読み取り手段と、読み取り手段で読み取られた会計用コードに記録されたコード情報に基づいて印刷媒体に印刷された商品の名称を含む商品明細を表示する表示手段と、を備える。【選択図】図５
2012018532.tif 000002
【特許請求の範囲】
【請求項１】
顧客が購入する商品に付されたコード情報を読み取った後、該読み取られたコード情報を前記顧客の買い上げ情報として会計用コードに記録して印刷媒体に印刷する登録装置と、
前記印刷媒体に印刷された前記会計用コードに基づいて会計を行う会計装置と、
からなるＰＯＳシステムにおいて、
前記登録装置は、
前記会計用コードに記録された前記コード情報に対応する前記商品の名称を、該会計用コードと対応する位置に印刷する印刷手段、
を備え、
前記会計装置は、
前記印刷媒体に印刷された前記会計用コードを読み取る読み取り手段と、
前記読み取り手段で読み取られた会計用コードに記録された前記コード情報に基づいて前記印刷媒体に印刷された商品の名称を含む商品明細を表示する表示手段と、
を備える、
ことを特徴とするＰＯＳシステム。
【請求項２】
前記印刷手段は、
前記会計用コードを前記印刷媒体に印刷する際に、該会計用コードに記録された前記コード情報の内、所定の記録位置の商品の名称を、該会計用コードと対応する位置に印刷する、
ことを特徴とする請求項１に記載のＰＯＳシステム。
【請求項３】
前記印刷手段は、
前記会計用コードを前記印刷媒体に印刷する際に、該会計用コードと対応する位置に商品の名称を印刷する前記所定の記録位置の情報を含めて該会計用コードを印刷する、
ことを特徴とする請求項２に記載のＰＯＳシステム。
【請求項４】
前記印刷手段は、
前記所定の記録位置の情報に基づいて、前記会計用コードと対応する位置に前記商品の名称を印刷する際に、該会計用コードに記録された前記コード情報の内、最初のコード情報に対応する商品の名称と、最後のコード情報に対応する商品の名称とを、該会計用コードと対応する位置に印刷する、
ことを特徴とする請求項３に記載のＰＯＳシステム。
【請求項５】
前記表示手段は、
前記読み取り手段によって読み取られた前記会計用コード毎に、該会計用コードに記録された前記コード情報の順番に前記商品明細を表示し、さらに、前記会計用コードと対応する位置に印刷された前記商品の前記商品明細を判別可能に強調して表示する、
ことを特徴とする請求項１に記載のＰＯＳシステム。
【請求項６】
前記登録装置は、
前記読み取ったコード情報の件数が所定の件数を超える毎に、所定の件数の前記コード情報を記録した会計用コードとして、２次元コードを生成する、
ことを特徴とする請求項１から請求項５のいずれか１の項に記載のＰＯＳシステム。
【発明の詳細な説明】
【技術分野】
【０００１】
本発明は、顧客が購入する商品の情報を登録するＰＯＳレジスタあるいは携帯端末と、会計を行う会計用ＰＯＳレジスタと、からなるＰＯＳシステムに関する。
【背景技術】
【０００２】
スーパー等で実施される特売日等の繁忙時には、来店客数が多く、また、顧客一人一人が購入する商品の買上品目や買上点数が多いため、１人のオペレータが、一般的なＰＯＳレジスタを使用して、顧客が購入する全ての商品の登録と会計操作とを行った場合、商品の登録並びに会計操作にかかる時間は、通常時よりも多くの時間を要してしまうこととなる。
【０００３】
そのため、ＰＯＳレジスタの前に会計待ちの行列が出来ることとなり、会計待ちの時間が長くなるにともない、会計で待たされる顧客は店の対応に不満を感じることが多くなる。これにより、店が売上増と顧客の来店頻度とを増やすことを目的として戦略的に実施した特売であるにも関らず、顧客の次回来店頻度や売上に悪い影響を与えてしまうこととなる。
【０００４】
そこで、このような問題の解決方法として、顧客が買い上げる商品の情報を、登録装置を用いて登録し、登録した買い上げ商品の情報を会計装置に読み込ませることによって、売上登録を行なうＰＯＳシステムが存在する。
【０００５】
このようなＰＯＳシステムにおいて、複数の買い上げ商品の情報を２次元コードに記録したレシートを前記登録装置で印刷し、該レシートに印刷（登録）されている情報に基づいて会計を行うことによって、ＰＯＳレジスタでの待ち時間を短縮するシステムが考えられる（例えば、特許文献１参照）。
【先行技術文献】
【特許文献】
【０００６】
【特許文献１】特開２０００−１９４９４８号公報
【発明の概要】
【発明が解決しようとする課題】
【０００７】
しかしながら、複数の買い上げ商品の情報が記録された２次元コード、すなわち、オペレータが会計の操作を行う際に会計用のＰＯＳレジスタに読み込ませた２次元コードと、該会計用のＰＯＳレジスタに２次元コードを読み込ませて表示させた買い上げ商品の情報とを対応づけて確認する術がなかった。そのため、顧客（オペレータ）は、現在会計用のＰＯＳレジスタに表示されている買い上げ商品の情報が、会計用のＰＯＳレジスタに読み込ませた２次元コードであるか否かを確認することができず、安心して会計の操作を行うことができないという問題がある。
【０００８】
また、レシートに印刷されている２次元コードが１枚のレシートに複数ある場合には、全ての２次元コードを会計用のＰＯＳレジスタに読み込ませる必要があるが、顧客が全ての２次元コードを読み込ませたか否かを確認することができず、登録した商品の数と、会計された商品の数とが合わなくなってしまう可能性がある。このように、会計用のＰＯＳレジスタに読み込ませていない２次元コードがあるにも関わらず、途中で会計を済ませ退店するという不本意な状態で不正が発生する可能性があった。
【０００９】
また、買い上げ商品の情報を２次元コードのみで印刷されたレシートからは、顧客が購入する買い上げ商品の情報がどの２次元コードに含まれているのかを推測および確認することができない。このため、顧客は、買い上げ商品が２次元コードに記録されているか否かを推測および確認することができず、安心して会計を行うことができないという問題がある。
【００１０】
本発明は、上記の課題認識に基づいてなされたものであり、オペレータや顧客による買い上げ商品情報の確認を容易にして会計のミスを減少させ、短い時間で安心して会計を行うことができるＰＯＳシステムを提供することを目的としている。
【課題を解決するための手段】
【００１１】
上記の課題を解決するため、本発明のＰＯＳシステムは、顧客が購入する商品に付されたコード情報を読み取った後、該読み取られたコード情報を前記顧客の買い上げ情報として会計用コードに記録して印刷媒体に印刷する登録装置と、前記印刷媒体に印刷された前記会計用コードに基づいて会計を行う会計装置と、からなるＰＯＳシステムにおいて、前記登録装置は、前記会計用コードに記録された前記コード情報に対応する前記商品の名称を、該会計用コードと対応する位置に印刷する印刷手段、を備え、前記会計装置は、前記印刷媒体に印刷された前記会計用コードを読み取る読み取り手段と、前記読み取り手段で読み取られた会計用コードに記録された前記コード情報に基づいて前記印刷媒体に印刷された商品の名称を含む商品明細を表示する表示手段と、を備える、ことを特徴とする。
【００１２】
この構成によれば、登録装置（例えば、実施形態における登録用ＰＯＳレジスタ２０または登録用携帯端末３０）が、印刷媒体（レシート用紙；例えば、実施形態における会計用レシート５０）に会計用コード（例えば、実施形態における２次元コード；ＱＲコード（登録商標））を印刷する際に、会計用コードに含まれるコード情報に対応した商品の名称を、会計用コードと対応する位置に印刷（例えば、実施形態においては、右横に印刷）する。また、会計装置（例えば、実施形態における会計用ＰＯＳレジスタ４０）は、印刷媒体に印刷された会計用コードを読み取り、その会計用コードに含まれるコード情報（例えば、実施形態における商品コード（バーコード））の記録順に対応した商品明細（例えば、実施形態における商品のリストまたは買い上げ明細）を表示する。これにより、オペレータ（例えば、実施形態における店員）や顧客が、どの２次元コードを読み込ませたのかの確認を目視で行う際に、印刷媒体に印刷された会計用コードに含まれる商品の名称と、会計装置が表示した商品明細との一致対応を容易に行うことができる。その結果、会計用コードの読み取り間違えを発見し易くし、会計のミスを減少させることができる。そして、オペレータや顧客は短い時間で安心して会計を行うことができる。
【００１３】
また、本発明の前記印刷手段は、前記会計用コードを前記印刷媒体に印刷する際に、該会計用コードに記録された前記コード情報の内、所定の記録位置の商品の名称を、該会計用コードと対応する位置に印刷する、ことを特徴とする。
【００１４】
この構成によれば、登録装置によって印刷媒体に、会計用コードに含まれる前記コード情報の内で、所定の記録位置の商品の名称を会計用コードと対応する位置に印刷することができる。これにより、オペレータや顧客がどの２次元コードにどの買い上げ情報が記録されているかを目視で推測および確認を容易にできる。その結果、会計用コードの所定の記録位置の商品の名称に基づいて照合ができるので、会計用コードの読み取り間違えや商品の名称の照合ミスを、さらに発見し易くし、会計のミスをさらに減少させることができる。
【００１５】
また、本発明の前記印刷手段は、前記会計用コードを前記印刷媒体に印刷する際に、該会計用コードと対応する位置に商品の名称を印刷する前記所定の記録位置の情報を含めて該会計用コードを印刷する、ことを特徴とする。
【００１６】
この構成によれば、会計装置が商品明細を表示する際に、会計用コードに含まれる所定の記録位置の情報に基づいて会計用コードと会計装置に表示する商品明細とを照合することができ、オペレータや顧客による読み取りミスを発見することができ、さらに読み取りを確実にすることができる。その結果、会計用コードの読み取り間違えや、会計のミスをさらに減少させることができる。
【００１７】
また、本発明の前記印刷手段は、前記所定の記録位置の情報に基づいて、前記会計用コードと対応する位置に前記商品の名称を印刷する際に、該会計用コードに記録された前記コード情報の内、最初のコード情報に対応する商品の名称と、最後のコード情報に対応する商品の名称とを、該会計用コードと対応する位置に印刷する、ことを特徴とする。
【００１８】
この構成によれば、登録装置によって印刷される会計用コードに含まれる最初のコード情報に対応する商品の名称と、最後のコード情報に対応する商品の名称とを、会計用コードと対応する位置に印刷することができる。これにより、印刷媒体に商品の名称を印刷する場合でも、会計用コードと対応する位置に印刷される商品の名称は、会計用コードに含まれる一部の商品の名称のみとなるため、会計用コードが印刷される印刷媒体の使用量を少なくすることができる。そして、会計装置が商品明細を表示する会計用コードに含まれる最初の商品の商品明細と、最後の商品の商品明細との２つの商品明細と印刷媒体に印刷された２つの商品の名称との照合により、２次元コードの読み取り確認を行うことができるので、オペレータや顧客が会計用コードの読み取り照合確認を少ない情報で確実に行うことができ、会計のミスを減少させ、短い時間で安心して会計を行うことができる。
【００１９】
また、本発明の前記表示手段は、前記読み取り手段によって読み取られた前記会計用コード毎に、該会計用コードに記録された前記コード情報の順番に前記商品明細を表示し、さらに、前記会計用コードと対応する位置に印刷された前記商品の前記商品明細を判別可能に強調して表示する、ことを特徴とする。
【００２０】
この構成によれば、会計装置が商品明細を表示する際に、会計用コードに含まれるコード情報に対応した商品明細を、会計用コードに含まれているコード情報の順番で全て表示することができる。さらに、会計用コードと対応する位置に印刷されている商品の名称と対応する商品明細を強調して表示することができる。これにより、オペレータや顧客は、強調して表示された商品明細と印刷された商品の名称とを確認することによって目視で会計用コードの読み取りの確認を確実に行うことができる。その結果、会計用コードの読み取り間違えや商品の名称の照合ミスを減少させることができ、会計のミスをさらに減少させ、短い時間で安心して会計を行うことができる。
【００２１】
また、本発明の前記登録装置は、前記読み取ったコード情報の件数が所定の件数を超える毎に、所定の件数の前記コード情報を記録した会計用コードとして、２次元コードを生成する、ことを特徴とする。
【００２２】
この構成によれば、登録装置によって読み取られたコード情報の件数が所定の件数を超える毎に、所定の件数のコード情報を会計用コードとして記録した２次元コード（例えば、実施形態におけるＱＲコード（登録商標））を生成することができる。そして、登録装置が、印刷媒体に２次元コードを印刷する際に、２次元コードに記憶されているコード情報に対応した商品の名称を、２次元コードと対応する位置に印刷することができる。また、会計装置は、２次元コード毎に記録されているコード情報に対応した商品の名称を、２次元コードに記録されたコード情報の順番に表示し、印刷媒体に印刷された商品の名称を強調表示することができる。これにより、顧客が購入する商品の品目数が多い場合でも、オペレータや顧客は、印刷媒体に印刷された商品の名称と、会計装置が表示した商品明細とを容易に対応させて確認することができる。その結果、会計用コードの読み取り間違えや商品の名称の照合ミスを減少させることができ、会計のミスと時間とを減少させることができる。
【発明の効果】
【００２３】
本発明によれば、オペレータや顧客による買い上げ商品情報の確認を容易にして会計のミスを減少させ、短い時間で安心して会計を行うことができる。
【図面の簡単な説明】
【００２４】
【図１】本発明の一実施形態によるＰＯＳシステム１の構成を示した概略図である。
【図２】本実施形態による登録用ＰＯＳレジスタ２０の電気的構成を示すブロック図である。
【図３】本実施形態による登録用携帯端末３０の電気的構成を示すブロック図である。
【図４】本実施形態による会計用ＰＯＳレジスタ４０の電気的構成を示すブロック図である。
【図５】本実施形態によるＰＯＳシステム１の各構成要素の配置を示したイメージ図である。
【図６】本実施形態における会計用レシート、および買い上げ商品の表示方法の一例を示した図である。
【図７】本実施形態において買い上げ商品を登録する商品登録処理のフローチャートである。
【図８】本実施形態において会計用レシートに基づいて会計する会計処理のフローチャートである。
【発明を実施するための形態】
【００２５】
以下、本発明を実施するための形態について、図面を参照して詳細に説明する。図１は、本発明の一実施形態によるＰＯＳシステム１の構成を示した概略図である。図１に示すように、ＰＯＳシステム１は、ストアコントローラ１０と、Ｎ台（Ｎは１以上の整数）の登録用ＰＯＳレジスタ２０と、ｎ台（ｎは１以上の整数）の登録用携帯端末３０と、Ｍ台（Ｍは１以上の整数）の会計用ＰＯＳレジスタ４０とを含んで構成される。
【００２６】
また、ＰＯＳシステム１において、ストアコントローラ１０は、ＬＡＮ（Ｌｏｃａｌ  Ａｒｅａ  Ｎｅｔｗｏｒｋ）１１を介して、登録用ＰＯＳレジスタ２０および会計用ＰＯＳレジスタ４０と接続されている。また、ＰＯＳシステム１において、ストアコントローラ１０は、ＬＡＮ１１に接続されたアクセスポイント１２を介して登録用携帯端末３０と接続されている。なお、ストアコントローラ１０と、登録用ＰＯＳレジスタ２０、会計用ＰＯＳレジスタ４０、またはアクセスポイント１２とを接続するＬＡＮの接続形態は、有線、あるいは、無線など何れの接続形態であってもよい。また、アクセスポイント１２と、登録用携帯端末３０とは、無線ＬＡＮなどの無線通信によって接続される。なお、アクセスポイント１２は、一般的に用いられる無線ＬＡＮなどの無線通信を行って、ＬＡＮ１１を介してストアコントローラ１０と登録用携帯端末３０とを接続する中継装置であるため、説明を省略する。
【００２７】
なお、図１に示したＰＯＳシステム１おいて、全ての登録用ＰＯＳレジスタ２０および全ての会計用ＰＯＳレジスタ４０は、ＬＡＮ１１を介してストアコントローラ１０と接続されていなくとも良いことを示している。すなわち、図１に示したＰＯＳシステム１では、ＬＡＮ１１を介してストアコントローラ１０と接続されている登録用ＰＯＳレジスタ２０と、接続されていない登録用ＰＯＳレジスタ２０とが存在する。また、同様にＰＯＳシステム１では、ＬＡＮ１１を介してストアコントローラ１０と接続されている会計用ＰＯＳレジスタ４０と、接続されていない会計用ＰＯＳレジスタ４０とが存在する。
【００２８】
ストアコントローラ１０は、ＰＯＳシステム１の全体を制御するコンピュータであって、商品マスタなどの種々の情報を管理する。ストアコントローラ１０は、適宜、最新の商品マスタを各登録用ＰＯＳレジスタ２０と、各会計用ＰＯＳレジスタ４０と、各登録用携帯端末３０とに送信する。なお、商品マスタは、各商品の商品識別情報、商品名称、販売価格などの商品情報を格納したファイルであって、適宜、更新される。
【００２９】
登録用ＰＯＳレジスタ２０は、顧客が購入する商品の全ての買い上げ情報をコードにして、会計用レシートへ印刷するための装置である。登録用ＰＯＳレジスタ２０は、種々の操作キーや表示部などを備える。登録用ＰＯＳレジスタ２０は、店員の操作により顧客が購入する商品に付されたバーコード（以下、「商品コード」という）を読み取るバーコードスキャナが接続されている。登録用ＰＯＳレジスタ２０によって印刷媒体（レシート用紙）に印刷されるコード（会計用コード）は、例えば、ＱＲ（Ｑｕｉｃｋ  Ｒｅｓｐｏｎｓｅ）コード（登録商標）などの２次元コードである。従って、登録用ＰＯＳレジスタ２０は、顧客が購入する商品に付された商品コードを読み取り、当該読み取った商品コードの情報に基づいて、顧客の買い上げ情報を表すコード（２次元コード）に変換し、当該２次元コードを会計用レシートへ印刷する装置である。
【００３０】
また、登録用ＰＯＳレジスタ２０は、ストアコントローラ１０が管理する商品マスタの複製を記憶している。なお、登録用ＰＯＳレジスタ２０は、最新の商品マスタを、ＬＡＮ１１を介してストアコントローラ１０から直接的に適宜取得し、記憶することができる。なお、例えば、ＣＤ−ＲＯＭなどの記録媒体（メディア）を用いて、予め最新の商品マスタを登録用ＰＯＳレジスタ２０に記憶させておけば、ＬＡＮ１１を介してストアコントローラ１０に接続されていなくとも会計用レシートの印刷には支障ない。
【００３１】
登録用携帯端末３０は、顧客が購入する商品の全ての買い上げ情報を会計用コードにして、会計用レシートへ印刷するための携帯端末であり、店員に携帯される。登録用携帯端末３０は、種々の操作キーや表示部などを備える。登録用携帯端末３０は、店員の操作により顧客が購入する商品に付された商品コードを読み取るバーコードスキャナを含んで構成されている。また、登録用携帯端末３０は、印刷媒体（レシート用紙）に会計用コードを印刷するための印刷部を含んで構成され、登録用ＰＯＳレジスタ２０と同様な、例えば、ＱＲコード（登録商標）などの２次元コードを、印刷媒体（レシート用紙）に印刷する。すなわち、登録用携帯端末３０は、登録用ＰＯＳレジスタ２０と同様の機能を備え、店員によって携帯されるように構成された携帯装置である。なお、登録用携帯端末３０が印刷部を備える形態は、登録用携帯端末３０内に印刷部を備えた形態、あるいは、例えば、ブルートゥース（Ｂｌｕｅｔｏｏｔｈ（登録商標））などの近距離無線通信規格を用いて登録用携帯端末３０と印刷部とが接続される形態など何れの形態であってもよい。
【００３２】
また、登録用携帯端末３０は、ストアコントローラ１０が管理する商品マスタの複製を記憶している。なお、登録用携帯端末３０は、最新の商品マスタを、アクセスポイント１２およびＬＡＮ１１を介してストアコントローラ１０から直接的に適宜取得して、記憶することができる。なお、例えば、予め定めた時間間隔での無線通信や、登録用携帯端末３０を充電する際の無線通信によって、ストアコントローラ１０から予め最新の商品マスタを取得することができる。そして、取得した商品マスタを、登録用携帯端末３０に記憶させておけば、常にＬＡＮ１１を介してストアコントローラ１０に接続されていなくとも会計用レシートの印刷には支障ない。
【００３３】
会計用ＰＯＳレジスタ４０は、印刷媒体（レシート）に印刷された会計用コード（例えば、２次元コード）から、顧客の買い上げ情報を読み取って会計を行なうための装置である。会計用ＰＯＳレジスタ４０は、顧客の操作により会計を行う会計用コードを読み取るスキャナ部を有し、読み取った会計用コードに基づいて会計を行う。例えば、会計用ＰＯＳレジスタ４０が、会計用レシートに印刷された２次元コードを読み取った場合は、読み取った２次元コードを顧客の買い上げ情報に変換し、変換した商品コードの情報に基づいて、顧客が購入する商品に付された商品コードを取得して、商品の会計を行う。
【００３４】
また、会計用ＰＯＳレジスタ４０は、ストアコントローラ１０が管理する商品マスタの複製を記憶している。なお、会計用ＰＯＳレジスタ４０は、最新の商品マスタを、ＬＡＮ１１を介してストアコントローラ１０から直接的に適宜取得し、記憶することができる。なお、例えば、ＣＤ−ＲＯＭなどの記録媒体（メディア）を用いて、予め最新の商品マスタを会計用ＰＯＳレジスタ４０に記憶させておけば、ＬＡＮ１１を介してストアコントローラ１０に接続されていなくとも、会計用レシートに基づいた会計の処理には支障ない。
【００３５】
次に、登録用ＰＯＳレジスタ２０の構成について説明する。図２は、本実施形態による登録用ＰＯＳレジスタ２０の電気的構成を示すブロック図である。図２に示すように、登録用ＰＯＳレジスタ２０は、ＣＰＵ（Ｃｅｎｔｒａｌ  Ｐｒｏｃｅｓｓｉｎｇ  Ｕｎｉｔ）２０１と、ＲＯＭ２０２と、ＲＡＭ２０３と、スキャナ部２０４と、表示部（店員用）２０５と、表示部（客用）２０５ａと、操作部２０６と、通信部２０７と、ブザー２０８と、レシート印刷部（印刷手段）２０９と、ハードディスク２１０とを有し、互いにバスを介して接続されており相互に通信可能である。
【００３６】
ＣＰＵ２０１は、中央処理装置であり、ＲＯＭ２０２に記憶されているプログラムを読み出して実行することにより、登録用ＰＯＳレジスタ２０の動作を制御する。
ＲＯＭ２０２は、上記プログラムを記憶している読み出し専用メモリである。
ＲＡＭ２０３は、ストアコントローラ１０より取得した商品マスタや、スキャナ部２０４で読み取ったデータなどの種々の情報を記憶する、随時読み出し書き込みメモリである。
スキャナ部２０４は、商品に付されている商品コード（バーコード）を光学的に読み取る。そして、スキャナ部２０４によって読み取られた商品コードのデータは、顧客の買い上げ商品を特定するデータとしてＲＡＭ２０３に記憶される。
【００３７】
表示部（店員用）２０５および表示部（客用）２０５ａは、登録用ＰＯＳレジスタ２０における種々の情報を表示する。例えば、表示部（店員用）２０５および表示部（客用）２０５ａは、ＲＡＭ２０３に記憶されている商品マスタから取得した情報（例えば、商品の名称、価格等）を表示する。また、表示部（店員用）２０５は、タッチパネル式（例えば、液晶タッチパネル）であるため、店員への表示に加え、画面に設けられたボタン（プリセットボタン）に予め設定登録されている商品の商品情報（商品コード等）の入力を受け付ける。
【００３８】
操作部２０６は、登録用ＰＯＳレジスタ２０を動作させる各種のキーからなる。この各種のキーは、例えば、小計キー、現計キー、置数キー、訂正キー、プリセットキー等の操作ボタンなどである。例えば、操作部２０６は、予めプリセットキーに設定登録されている商品情報（商品コード等）の入力を受け付ける。
【００３９】
通信部２０７は、ＬＡＮ１１を経由し、ストアコントローラ１０との間で行うデータ通信を行う。なお、登録用ＰＯＳレジスタ２０は、顧客の買い上げ情報（順番情報を含む）を２次元コードで会計用レシートへ印刷する装置であるので、通信部２０７は、ＬＡＮ１１を介してストアコントローラ１０等に常に接続されていなくとも良い。
ブザー２０８は、登録用ＰＯＳレジスタ２０において、例えば、操作の確認が必要な時などにブザー音を発生させるものである。
【００４０】
レシート印刷部２０９は、スキャナ部２０４によって読み取られてＲＡＭ２０３に記憶されている商品コードのデータに基づいた２次元コード（ＱＲコード（登録商標））を会計用レシートへ印刷する。また、会計用レシートには、商品コードのデータに基づいた商品名称も印刷される。なお、登録用ＰＯＳレジスタ２０において印刷される会計用レシートの例に関しては、後述する。
【００４１】
ハードディスク２１０は、会計用レシートへの印刷か終了した後、ＲＡＭ２０３に記憶されている顧客の買い上げ情報（順番情報を含む）を記憶する。
【００４２】
次に、登録用携帯端末３０の構成について説明する。図３は、本実施形態による登録用携帯端末３０の電気的構成を示すブロック図である。図３に示すように、登録用携帯端末３０は、ＣＰＵ３０１と、ＲＯＭ３０２と、ＲＡＭ３０３と、スキャナ部３０４と、表示部３０５と、ＬＥＤ発光部３０５ａと、操作部３０６と、通信部３０７と、ブザー３０８と、電源制御部３１０とを有し、互いにバスを介して接続されており相互に通信可能である。また、登録用携帯端末３０は、印刷装置（プリンタ：印刷手段）３０９を含んで構成される。また、電源制御部３１０には、充電式電池３１１が接続されている。
【００４３】
ＣＰＵ３０１は、中央処理装置であり、ＲＯＭ３０２に記憶されているプログラムを読み出して実行することにより、登録用携帯端末３０の動作を制御する。
ＲＯＭ３０２は、上記プログラムを記憶している読み出し専用メモリである。
ＲＡＭ３０３は、ストアコントローラ１０より取得した商品マスタや、スキャナ部３０４で読み取ったデータなどの種々の情報を記憶する、随時読み出し書き込みメモリである。
スキャナ部３０４は、商品に付されている商品コード（バーコード）を光学的に読み取る。そして、スキャナ部３０４によって読み取られた商品コードのデータは、顧客の買い上げ商品を特定するデータとしてＲＡＭ３０３に記憶される。
【００４４】
表示部３０５は、登録用携帯端末３０における種々の情報を表示する。例えば、表示部３０５は、ＲＡＭ３０３に記憶されている商品マスタから取得した情報（例えば、商品の名称、価格等）を表示する。また、表示部３０５は、タッチパネル式（例えば、液晶タッチパネル）であるため、店員への表示に加え、画面に設けられたボタン（プリセットボタン）に予め設定登録されている商品の商品情報（商品コード等）の入力を受け付ける。
ＬＥＤ発光部３０５ａは、その点灯によって、当該登録用携帯端末３０の動作状態を表示する。例えば、ＬＥＤ発光部３０５ａは、スキャナ部３０４によって商品コードが正しく読み取られたか否かを表す。また、例えは、ＬＥＤ発光部３０５ａは、当該登録用携帯端末３０がストアコントローラ１０から商品マスタを取得するための通信中であるか否かを表す。
【００４５】
操作部３０６は、登録用携帯端末３０を動作させる各種のキーからなる。この各種のキーは、例えば、小計キー、現計キー、置数キー、訂正キー、印刷キー、プリセットキー等の操作ボタンなどである。例えば、操作部３０６は、予めプリセットキーに設定登録されている商品情報（商品コード等）の入力を受け付ける。
【００４６】
通信部３０７は、アクセスポイント１２を介してＬＡＮ１１を経由し、ストアコントローラ１０との間で行うデータ通信を行う。また、通信部３０７は、例えば、ブルートゥース（Ｂｌｕｅｔｏｏｔｈ（登録商標））などの近距離無線通信規格を用いて印刷装置３０９との間でデータ通信を行う。なお、登録用携帯端末３０は、顧客の買い上げ情報（順番情報を含む）を２次元コードで会計用レシートへ印刷する装置であるので、通信部３０７は、アクセスポイント１２およびＬＡＮ１１を介してストアコントローラ１０等に常に接続されていなくとも良い。また、通信部３０７は、印刷装置３０９によって会計用レシートへの印刷を行うときのみ、近距離無線通信によって印刷装置３０９と接続されても良い。
ブザー３０８は、登録用携帯端末３０において、例えば、操作の確認が必要な時などにブザー音を発生させるものである。
【００４７】
印刷装置３０９は、スキャナ部３０４によって読み取られてＲＡＭ３０３に記憶されている商品コードのデータに基づいた２次元コード（ＱＲコード（登録商標））を会計用レシートへ印刷する。また、会計用レシートには、商品コードのデータに基づいた商品名称を上記２次元コードに隣接させて印刷する。なお、印刷装置（プリンタ）３０９は、図１に示すように、当該登録用携帯端末３０の外部に別体で構成され、通信部３０７による近距離無線通信によって、当該登録用携帯端末３０に内蔵された形態と同様に、送信されてきた印刷データを会計用レシートに印刷する。ただし、図３においては、印刷装置３０９が当該登録用携帯端末３０を構成する構成要素であることを示すため、印刷装置３０９およびその接続を点線で示している。なお、印刷装置３０９は、当該登録用携帯端末３０に内蔵された形態であっても良い。また、登録用携帯端末３０において印刷される会計用レシートの例に関しては、後述する。
【００４８】
電源制御部３１０は、登録用携帯端末３０における電源供給を制御する。また、充電式電池３１１への充電を制御する。
充電式電池３１１は、登録用携帯端末３０の各部を動作させるための電力を供給する。
【００４９】
次に、会計用ＰＯＳレジスタ４０の構成について説明する。図４は、本実施形態による会計用ＰＯＳレジスタ４０の電気的構成を示すブロック図である。図４に示すように、会計用ＰＯＳレジスタ４０は、ＣＰＵ４０１と、ＲＯＭ４０２と、ＲＡＭ４０３と、スキャナ部（読み取り手段）４０４と、表示部（表示手段）４０５と、操作部４０６と、通信部４０７と、ブザー４０８と、印刷部４０９とを含んで構成され、バスを介して接続されており相互に通信可能である。
【００５０】
ＣＰＵ４０１は、中央処理装置であり、ＲＯＭ４０２に記憶されているプログラムを読み出して実行することにより、会計用ＰＯＳレジスタ４０の動作を制御する。
ＲＯＭ４０２は、上記プログラムを記憶している読み出し専用メモリである。
ＲＡＭ４０３は、ストアコントローラ１０より取得した商品マスタや、スキャナ部４０４で読み取ったデータなどの種々の情報を記憶する、随時読み出し書き込みメモリである。
【００５１】
スキャナ部４０４は、登録用ＰＯＳレジスタ２０または登録用携帯端末３０によって印刷された会計用レシートの２次元コード（ＱＲコード（登録商標））、あるいは、商品に付されている商品コード（バーコード）のいずれかを光学的に読み取る。そして、スキャナ部４０４によって読み取られた２次元コードのデータ、あるいは、商品コードのデータは、顧客の買い上げ商品を特定するデータとしてＲＡＭ４０３に記憶される。
【００５２】
表示部４０５は、会計用ＰＯＳレジスタ４０における種々の情報を表示する。例えば、スキャナ部４０４で読み取った商品コードの情報に基づき、顧客が購入する商品の買い上げ明細を表示する。また、例えば、スキャナ部４０４で読み取った２次元コードの情報に基づき、２次元コードに含まれている顧客が購入する商品のリストを表示する。なお、会計用ＰＯＳレジスタ４０において、２次元コードを読み取った際に表示部４０５に表示される商品のリストの例に関しては、後述する。
【００５３】
操作部４０６は、会計用ＰＯＳレジスタ４０を動作させる各種のキーからなる。この各種のキーは、例えば、小計キー、現計キー、置数キー、訂正キー、預りキー、お会計キー等の操作ボタンなどである。
通信部４０７は、ＬＡＮ１１を経由し、ストアコントローラ１０との間で行うデータ通信を行う。例えば、通信部４０７は、ストアコントローラ１０と接続して、ストアコントローラ１０から最新の商品マスタを取得する。
ブザー４０８は、会計用ＰＯＳレジスタ４０におけるエラー等のブザー音を発生させるものである。
印刷部４０９は、顧客の会計が終了した後、当該顧客が持ち帰る会計済みレシートを印刷する。
【００５４】
次に、ＰＯＳシステム１における会計処置の流れについて説明する。図５は、本実施形態によるＰＯＳシステム１の各構成要素の配置を示したイメージ図である。まず、登録用ＰＯＳレジスタ（会計用レシート発行用ＰＯＳレジスタ）２０で顧客が購入する商品のバーコードを店員がスキャンして、商品登録を行う。また、ＰＯＳシステム１においては、登録用携帯端末（会計用レシート発行用携帯端末）３０で顧客が購入する商品のバーコードを店員がスキャンして、商品登録を行うこともできる。そして、店員は、当該顧客が購入する全ての商品のバーコードのスキャンが完了した後、当該顧客の買い上げ情報とその順番とを含む２次元コードが印刷された会計用レシート５０を発行し、顧客に手渡す。
【００５５】
続いて、店員から会計用レシート５０を受け取った顧客は、会計用ＰＯＳレジスタ４０のスキャナ部４０４を用いて、会計用レシート５０に印刷された２次元コードを読み取らせる。会計用ＰＯＳレジスタ４０は、読み取った会計用レシート５０の２次元コードに記録された商品コード（バーコード）の順に全ての商品のリストを表示する。そして、顧客は、会計用ＰＯＳレジスタ４０に表示されている商品のリストを確認し、顧客自身が会計を行う。
【００５６】
このように、店員が商品登録と２次元コードの印刷操作とをするので、効率がよく一定の時間で処理を行うことができる。そして、店員が、顧客が購入する商品の登録を行うことにより、悪意の顧客による商品登録の改ざんが起こらないように監視することができるので、店員は、セキュリティ面における監視役としての役割も果たすこととなる。また、顧客は２次元コードに含まれている商品の名称をレシートで確認することができるので、顧客は安心して会計を行うことができる。
【００５７】
また、例えば、登録用ＰＯＳレジスタ２０の前に登録待ちの行列が出来ている場合には、店員が登録用携帯端末３０を用いて、購入する商品の登録と２次元コードの印刷操作とを行うことができる。これにより、商品の登録待ちの時間を短くすることができ、効率よく顧客を会計の処理に向かわせることができる。
【００５８】
また、例えば、特売品を店頭で販売するときなどにおいては、登録用携帯端末３０を用いて店員が商品登録と２次元コードの印刷操作とをすることができるので、顧客は購入する特売品の会計のみを店内で行うことができ、効率よく会計の処理を行うことができる。
【００５９】
また、２次元コードが印刷されたレシートを発行する登録用ＰＯＳレジスタ２０および登録用携帯端末３０と、会計用レシート５０に印刷された２次元コードに基づき会計を行う会計用ＰＯＳレジスタ４０の設置台数を同数用意する必要性がなく、２次元コードに基づき会計を行う会計用ＰＯＳレジスタ４０での会計時間が短くて済むので、会計用ＰＯＳレジスタ４０の数を少なくしてもよい。このように、会計用ＰＯＳレジスタ４０の台数を削減することによって、会計用ＰＯＳレジスタ４０を設置するための空間を削減することができるので、空いた会計用ＰＯＳレジスタ４０を設置するための空間を売り場面積として有効活用することができる。
【００６０】
また、仮に会計用ＰＯＳレジスタ４０の台数を削減した場合でも、従来のＰＯＳシステムと比べると、登録用ＰＯＳレジスタ２０または登録用携帯端末３０による顧客が購入する商品を登録するための行列と、会計用ＰＯＳレジスタ４０による会計処理のための行列とを分けることによって、顧客の会計待ち行列を解消させることができる。これにより、全体としての会計待ち時間を大幅に短縮することができる。
【００６１】
次に、会計用レシートと商品のリストとについて説明する。図６は、本実施形態における会計用レシート５０、および買い上げ商品のリストの表示方法の一例を示した図である。図６（ａ）には、会計用レシート５０の一例を示し、図６（ｂ）には、会計用レシート５０を読み込んだ際に会計用ＰＯＳレジスタ４０に表示される商品のリストの一例を示している。
【００６２】
まず、図６（ａ）に一例を示した登録用ＰＯＳレジスタ２０のレシート印刷部２０９、または登録用携帯端末３０の印刷装置３０９によって印刷される会計用レシート５０について説明する。会計用レシート５０には、登録用ＰＯＳレジスタ２０または登録用携帯端末３０によって読み取った商品コード（バーコード）の情報を記録する、図６（ａ）の５０１ａ、５０２ａに示すような２次元コードが印刷される。なお、１つの２次元コードに含める商品コードの件数は、予め設定されており、登録用ＰＯＳレジスタ２０または登録用携帯端末３０によって読み取った商品コードが２次元コードに含めることができる所定の件数を超える毎に、次の２次元コードに含まれて印刷される。
【００６３】
ここで、商品コードの件数は、登録用ＰＯＳレジスタ２０または登録用携帯端末３０によって読み込ませた商品コード（バーコード）の件数であり、換言すれば顧客が購入する商品点数である。図６（ａ）では、１つの２次元コードに含めることができる商品コードの件数が「８」と設定されており、顧客が１６点の商品を購入する場合の一例を示している。すなわち、図６（ａ）の２次元コード５０１ａ、および２次元コード５０２ａには、それぞれ８品目の商品コードが記録されている。なお、顧客が購入する商品点数を、例えば、図６（ａ）に示すように、「お買上点数」として会計用レシート５０に表示するようにしてもよい。
【００６４】
また、印刷されたそれぞれの２次元コードの右横には、図６（ａ）の５０１ｂ、５０２ｂに示すように、それぞれの２次元コードに含まれている商品の商品名称が印刷される。なお、所定の位置に記録された商品の名称を印刷する場合、他の商品も含まれていることを示す５０１ｄ、５０２ｄ（「・・・・・・」）の記号を印刷することにより、印刷された商品の名称は、代表の商品名称のみを印刷していることを示す。この商品名称を印刷する際、登録用ＰＯＳレジスタ２０内のＲＡＭ２０３、または登録用携帯端末３０内のＲＡＭ３０３に記憶している商品マスタが参照される。これにより、顧客は、２次元コードに含まれている商品がどのような商品であるのかを、目視確認することができる。
【００６５】
なお、それぞれの２次元コードの右横に印刷される商品名称は、例えば、登録用ＰＯＳレジスタ２０または登録用携帯端末３０によって商品コードを読み取った際の読み取り順番で、それぞれの２次元コードに含まれている最初の商品コードに対応した商品名称と、最後の商品コードに対応した商品名称とが印刷される。より具体的には、登録用ＰＯＳレジスタ２０または登録用携帯端末３０によって、「たまご」、「牛乳」・・・「煎餅」、「チョコレート」、「ほうれん草」・・・の順番で商品コードを読み取った場合、２次元コード５０１ａの右横には、２次元コード５０１ａに記録されている最初（１品目目）の商品コードに対応した商品名称である「たまご  １パック」と、２次元コード５０１ａに記録されている最後（８品目目）の商品コードに対応した商品名称である「チョコレート」とが、２次元コード５０１ａの右横に印刷される。図６（ｂ）では、９品目目として商品コードが読み取られた「ほうれん草」と、１６品目目として商品コードが読み取られた「納豆（３Ｐセット）」とが、２つの目の２次元コード５０２ａに記録されている最初（１品目目）の商品コードに対応した商品名称、および最後（８品目目）の商品コードに対応した商品名称として、２次元コード５０２ａの右横にも印刷されている場合の一例を示している。なお、２品目〜７品目、１０品目〜１５品目の印刷が省略されていることを示す５０１ｄ、５０２ｄ（「・・・・・・」）の記号を印刷することで、２次元コード内に多くの商品が記録されていることを顧客に示している。
【００６６】
なお、２次元コードに含まれる商品コードの件数が、予め設定されている１つの２次元コードの商品コードの件数より少ない場合でも、２次元コードに含まれている最初（１品目目）の商品コードに対応した商品名称、および最後の商品コードに対応した商品名称が、２次元コードの右横に印刷される。そして、２次元コードの右横に商品名称が印刷されない商品コードが、２次元コードに含まれている場合には、その商品名称を、例えば、図６（ａ）の５０１ｄ、５０２ｄに示した「・・・・・・」のような記号で表して印刷する。また、２次元コードに１品目目の商品コードのみが含まれている場合には、２次元コードに含まれている１つの商品コードに対応した商品名称のみを印刷する。
【００６７】
次に、図６（ｂ）に一例を示した会計用ＰＯＳレジスタ４０に表示される商品のリストついて説明する。図６（ｂ）は、図６（ａ）の会計用レシート５０を、会計用ＰＯＳレジスタ４０のスキャナ部４０４によって読み込んだ際に、会計用ＰＯＳレジスタ４０の表示部４０５に表示される商品のリストを示している。会計用ＰＯＳレジスタ４０の表示部４０５は、会計用ＰＯＳレジスタ４０のスキャナ部４０４が２次元コードを読み取る毎に、読み取った２次元コードに含まれている全ての商品の商品名称を、２次元コードに含まれている順番で表示する。この商品名称を表示する際、会計用ＰＯＳレジスタ４０内のＲＡＭ４０３に記憶している商品マスタが参照される。
【００６８】
なお、２次元コードに含まれている全ての商品の商品名称を表示する際には、読み取った２次元コードの右横に印刷されている商品名称を容易に確認（照合）できるように、その商品名称を際立たせて表示する。例えば、図６（ｂ）に示すように、２次元コード５０１ａに含まれている「たまご  １パック」と「チョコレート」とを４０５１ｂに示すような枠表示で囲み、２次元コード５０２ａに含まれている「ほうれん草」と「納豆（３Ｐセット）」とを４０５２ｂに示すような枠表示で囲むことによって、２次元コードに含まれている商品コードに対応した商品名称を際立たせて表示する。また、２次元コードの右横に商品名称が印刷されていない、すなわち、２次元コードの右横に「・・・・・・」で印刷された商品の商品名称は、２次元コードに商品コードが含まれている順番で表示する。また、２次元コード５０１ａに含まれている最後の商品コードに対応した商品名称と、２次元コード５０２ａに含まれている最初の商品コードに対応した商品名称との間に、図６（ｂ）の４０５１ａに示したような区切り線を表示することによって、２次元コード５０１ａに含まれている商品と、２次元コード５０２ａに含まれている商品とを区別する。これにより、顧客は、それぞれの２次元コードを読み込ませて表示させた商品と、２次元コードとを対応づけて目視確認することができる。また、会計用レシート５０に印刷されている商品と会計用レシート５０に印刷されていない商品とを区別して確認できるので、顧客は、全ての２次元コードを読み込ませたかを確認し、ミスの少ない安心した会計を行うことができる。
【００６９】
なお、会計用ＰＯＳレジスタ４０の表示部４０５に、２次元コードの右横に印刷されている商品名称を際立たせて表示する方法は、枠表示４０５１ｂおよび４０５２ｂに限らず、例えば、際立たせて表示する商品名称の左横あるいは右横に、２次元コードの右横に印刷されている商品であることを示す印（マーク）を表示することもできる。また、例えば、際立たせて表示する商品名称を、反転して表示、大文字で表示、下線を付与した表示とすることもできる。また、例えば、際立たせて表示する商品名称の背景のみを異なる色や模様で表示するなど、様々な方法で表示することもできる。これにより、読み込ませる２次元コード毎に表示を変えることにより、照合ミスを少なくすることもできる。
【００７０】
また、２次元コードの右横に印刷されている商品名称を際立たせて表示する方法として、例えば、会計用レシート５０に印刷される商品名称５０１ａおよび商品名称５０２ｂの文字の色を変えて、商品名称５０１ａおよび商品名称５０２ｂと同じ色の文字で表示部４０５に商品名称を表示させることによって、２次元コードの右横に印刷されている商品名称を際立たせ、目視による照合を容易にさせることもできる。
【００７１】
また、会計用レシート５０に印刷されたそれぞれの２次元コードを区別する方法は、区切り線４０５１ａに限らず、例えば、図６（ｂ）の４０５１ｃおよび４０５２ｃに示すような枠表示で囲むことによって、それぞれの２次元コードを区別することもできる。この場合、図６（ａ）の５０１ｃおよび５０２ｃに示すように、２次元コード５０１ａと商品名称５０１ａ、および２次元コード５０２ｂと商品名称５０２ｂを枠表示で囲むことによって、会計用レシート５０に印刷されたそれぞれの２次元コードとの対応を、さらに容易に確認（照合）することができる。
【００７２】
また、会計用レシート５０に印刷されたそれぞれの２次元コードを区別する方法として、例えば、枠表示４０５１ｃおよび４０５２ｃに相当する部分の背景の色をそれぞれ異なる色の背景とすることもできる。この場合、枠表示５０１ｃおよび５０２ｃに相当する部分の背景の色を、枠表示４０５１ｃおよび４０５２ｃに相当する部分の背景の色と同じ色とすることによって、会計用レシート５０に印刷されたそれぞれの２次元コードとの対応を、さらに容易に確認（照合）することができる。なお、枠表示５０１ｃおよび５０２ｃに相当する部分の背景に色を印刷する場合には、例えば、２次元コードは黒色で印刷し、背景の色は薄い色とするなど、会計用ＰＯＳレジスタ４０のスキャナ部４０４が会計用レシート５０に印刷された２次元コードの読み取り精度が低下しないような色を背景の色とするすることが望ましい。
【００７３】
また、会計用レシート５０に印刷されたそれぞれの２次元コードを区別する方法として、例えば、会計用レシート５０に印刷された２次元コード毎に、会計用ＰＯＳレジスタ４０の表示部４０５に表示される画面を異なる画面とすることもできる。この場合、表示部４０５に表示された画面を、例えば、ページをめくるように切り替えることによって、会計用レシート５０に印刷されたそれぞれの２次元コードとの対応を、容易に確認（照合）することができる。
【００７４】
次に、登録用ＰＯＳレジスタ２０および登録用携帯端末３０による顧客の買い上げ商品の登録方法について説明する。図７は、本実施形態において買い上げ商品を登録する商品登録処理のフローチャートである。なお、顧客の買い上げ商品の登録は、登録用ＰＯＳレジスタ２０または登録用携帯端末３０のいずれかによって行われるが、その処理手順は、いずれも同じであるため、以下の説明においては、登録用携帯端末３０によって顧客の買い上げ商品を登録する場合について説明する。また、登録用ＰＯＳレジスタ２０によって顧客の買い上げ商品を登録する場合の処理は、以下の説明における登録用携帯端末３０の各構成要素を、登録用ＰＯＳレジスタ２０の各構成要素に読み換えることによって示すことができるため、説明を省略する。
【００７５】
まず、店員は、登録用携帯端末３０のスキャナ部３０４を用いて、顧客が買い上げる商品の商品コード（バーコード）を読み込ませる（ステップＳ３１）。なお、このとき、商品コードが正常に読み込まれたか否かを、ＬＥＤ表示部３０５ａによって、店員に通知するようにしてもよい。
【００７６】
続いて、登録用携帯端末３０のＣＰＵ３０１は、当該読み込んだ商品コード（バーコード）をＲＡＭ３０３に記憶（登録）させる（ステップＳ３２）。なお、このとき、読み込んだ商品コードに基づいて、ＲＡＭ３０３に記憶している商品マスタや特売情報を参照し、読み込んだ商品コードに対応した商品名称を、登録用携帯端末３０の表示部３０５に表示させるようにしてもよい。
【００７７】
続いて、ＣＰＵ３０１は、全ての商品の登録が完了したか否かを判断する（ステップＳ３３）。このＣＰＵ３０１による全ての商品の登録が完了したか否かの判断は、例えば、店員による登録用携帯端末３０の操作部３０６の「印刷」キーや「現計」キーなどの押下によって、商品登録が完了したことを表す操作がされたか否かによって確認することができる。ステップＳ３３において、全ての商品登録が完了していない（ＮＯ）と判断された場合には、ステップＳ３１に戻って、次の商品の商品コード（バーコード）の読み込みと、読み込んだ商品コードのＲＡＭ３０３への記憶とを繰り返す。
【００７８】
また、ステップＳ３３において、店員による操作部３０６の「印刷」キーや「現計」キーなどの押下によって、商品登録が完了したことが表され、ＣＰＵ３０１が全ての商品登録が完了した（ＹＥＳ）と判断した場合、ＣＰＵ３０１は、ＲＡＭ３０３に記憶された全ての商品コードを読み込む（ステップＳ３４）。
【００７９】
続いて、ＣＰＵ３０１は、読み込んだ商品コードに基づいて、登録された商品の点数を算出し、算出した商品の点数が、予め設定された１つの２次元コードに含める商品コードの件数を超える毎に、商品コードと商品コードを読み取った順番を含む２次元コード（ＱＲコード（登録商標））を生成する。また、ＣＰＵ３０１は、当該生成した２次元コードに含まれる最初の商品コードの商品名称と、最後の商品コードの商品名称とを選出する（ステップＳ３５）。なお、ＣＰＵ３０１による２次元コードの生成と、２次元コードに含まれる商品名称の選出は、登録された全ての商品点数分の処理が完了するまで行われる。すなわち、算出した商品の点数が、予め設定された１つの２次元コードに含める商品コードの件数を超える場合には、複数の２次元コードが生成され、生成された２次元コードに含まれる商品名称が選出される。
【００８０】
続いて、ＣＰＵ３０１は、生成した全ての２次元コードと、それぞれの２次元コード毎に選出された商品名称とを印刷する（ステップＳ３６）。
【００８１】
このように、読み込んだ商品コード（バーコード）に基づいて２次元コードとして生成し、生成した２次元コードに含まれる商品名称を同時に印刷することができるので、会計用レシート５０を見るだけで、どのような商品が２次元コードに記録されているかを容易に推測および確認（照合）することができる。
【００８２】
なお、ステップＳ３５において、複数の２次元コードが生成される場合には、例えば、生成される２次元コードの総数を表す情報や、それぞれの２次元コードが何番目に表示される２次元コードであるかを表す情報など、顧客が購入する商品の総買い上げ点数を表す情報を、２次元コードに含まれる情報に追加することもできる。また、例えば、２次元コードの総数を表す情報や、それぞれの２次元コードが何番目に表示される２次元コードであるかを表す情報を目視確認することができるように、会計用レシート５０に印刷することもできる。これにより、例えば、会計用ＰＯＳレジスタ４０によって会計を行う際に、最初に読み込んだ一つの２次元コードに基づいて、全部で何件の２次元コードが会計用レシート５０に印刷されているかを、会計用ＰＯＳレジスタ４０のＣＰＵ４０１が容易に判定することができ、また、読み込まれていない２次元コードが何であるかをＣＰＵ４０１が判定することが容易となる。これにより、会計用ＰＯＳレジスタ４０による会計処理のミスを減少させることができる。また、例えば、悪意の顧客による商品登録の改ざんを防止することもできる。
【００８３】
また、顧客が同じ商品を複数購入する場合には、２次元コードには、購入する商品の数分の同じ商品コードが含まれる。このような場合には、例えば、１つの２次元コード内に複数の同じ商品が含まれていることを表す情報を、２次元コードに含まれる情報に追加することや、複数購入される商品の商品コードとその数を表す情報をまとめて、１つの商品コードとして２次元コードに含めることもできる。また、例えば、２次元コード内に複数の同じ商品が含まれていることを目視確認することができるように、会計用レシート５０に印刷することもできる。これにより、例えば、会計用ＰＯＳレジスタ４０によって会計を行う際に、購入する商品の商品点数の確認ミスを減少させることができる。
【００８４】
なお、ステップＳ３５において行われる２次元コードに含まれている商品名称の選出方法は、登録された順番に基づいて２次元コードに含まれる最初の商品コードの商品名称と、最後の商品コードの商品名称とに限らず、２次元コードに含まれる商品を特定することができる順番（記録位置）であればよい。例えば、２次元コードに記録される商品コードの順番で中央の位置となる商品コードの商品名称とすることもできる。また、例えば、２次元コードに含まれる商品コードを並べ替えたときの最初の商品コードの商品名称や、２次元コードに含まれる商品の中で一番高価な商品の商品名称など、様々な方法で選出することもできる。
【００８５】
次に、会計用ＰＯＳレジスタ４０による会計用レシート５０に基づいた会計方法について説明する。図８は、本実施形態において会計用レシート５０に基づいて会計する会計処理のフローチャートである。
【００８６】
まず、顧客は、会計用ＰＯＳレジスタ４０のスキャナ部４０４を用いて、会計用レシート５０の２次元コードを読ませる（ステップＳ４１）。そして、会計用ＰＯＳレジスタ４０のＣＰＵ４０１は、当該読み込んだ２次元コードに含まれている商品コード（バーコード）をＲＡＭ４０３に記憶する。
【００８７】
続いて、ＣＰＵ４０１は、当該読み込んだ２次元コードに含まれている商品コードに基づいて、ＲＡＭ４０３に記憶している商品マスタや特売情報を参照し、読み込んだ商品コードに対応した商品名称を、会計用ＰＯＳレジスタ４０の表示部４０５に表示する（ステップＳ４２）。なお、このとき、読み込んだ２次元コードに含まれる最初の商品コードの商品名称と、最後の商品コードの商品名称とを、例えば、図６（ｂ）に示したように際立たせて表示する。すなわち、会計用レシート５０に印刷された２次元コードの右横に印刷されている商品名称を際立たせて表示する。これにより、会計用レシート５０に印刷されたそれぞれの２次元コードとの目視での一致対応を容易にし、確認（照合）ミスを少なくすることができる。
【００８８】
なお、ステップＳ４２において際立たせて表示する商品名称は、登録用ＰＯＳレジスタ２０および登録用携帯端末３０によって選出され印刷された商品名称であるため、登録用ＰＯＳレジスタ２０および登録用携帯端末３０による商品名称を選出する、所定の記録位置の情報は、会計用ＰＯＳレジスタ４０側にも予め設定しておく必要がある。なお、商品名称を選出する所定の記録位置の情報が、２次元コードに含まれている場合は、この限りではない。
【００８９】
なお、ステップＳ４１において、スキャナ部４０４が、一般的なＰＯＳレジスタと同様の商品コード（バーコード）が読み込まれた場合は、読み込まれた商品コードに基づいて、ＲＡＭ４０３に記憶している商品マスタや特売情報を参照し、読み込んだ商品コードに対応した商品名称を含む商品明細を、表示部４０５に表示する。なお、以下の説明においては、一般的なＰＯＳレジスタと同様の処理については、説明を省略する。
【００９０】
続いて、ＣＰＵ４０１は、例えば、読み込んだ２次元コードに、２次元コードの総数を表す情報や、それぞれの２次元コードが何番目に表示される２次元コードであるかを表す情報などが含まれている（例えば、分数で、１／２，２／２など）場合には、読み込んだ２次元コードから、当該読み込んだ２次元コードに含まれる総数を表す情報（例えば、分母の２）や、２次元コードが順番を表す情報（例えば、分子の１，２）を抽出する。そして、当該読み込んだ２次元コードが正しい２次元コードであるか否かを判断する（ステップＳ４３）。なお、所定の記録位置の情報で、２次元コードをチェックする場合は、先に読み込んだ２次元コードの所定の記録位置の商品コードと、現在読み込んだ２次元コードの所定の記録位置の商品コードとを照合するとこにより、重複チェックを行う。ステップＳ４３において、当該読み込んだ２次元コードが正しい２次元コードでない（ＮＯ）と判断された場合には、ステップＳ４４に進んで、顧客に対して正しい２次元コードを読ませるように注意喚起するメッセージを、表示部４０５に表示する。そして、ステップＳ４１に戻る。
【００９１】
また、ステップＳ４３において、当該読み込んだ２次元コードが正しい２次元コードである（ＹＥＳ）と判断された場合には、ステップＳ４５に進む。なお、読み込んだ２次元コードに、２次元コードの総数を表す情報や、それぞれの２次元コードが何番目に表示される２次元コードであるかを表す情報などが含まれていない場合には、ステップＳ４３におけるＣＰＵ４０１の処理は行わず、ステップＳ４２の後に、ステップＳ４５の処理が行われる。
【００９２】
続いて、ＣＰＵ４０１は、全ての２次元コードの読み取りが完了したか否かを判断する（ステップＳ７５）。このＣＰＵ４０１による全ての２次元コードの読み取りが完了したか否かの判断は、例えば、顧客による会計用ＰＯＳレジスタ４０の操作部４０６の「現計」キーなどの押下によって、２次元コードの読み取りが完了したことを表す操作がされたか否かによって確認することができる。ステップＳ４５において、全ての２次元コードの読み取りが完了していない（ＮＯ）と判断された場合には、ステップＳ４４に進んで、顧客に対して次の２次元コードを読ませるように喚起するメッセージを、表示部４０５に表示する。そして、ステップＳ４１に戻る。
【００９３】
また、ステップＳ４５において、顧客による会計用ＰＯＳレジスタ４０の操作部４０６の「現計」キーなどの押下によって、全ての２次元コードの読み取りが完了した（ＹＥＳ）と判断した場合には、ステップＳ４６に進む。
【００９４】
なお、読み込んだ２次元コードに、２次元コードの総数を表す情報や、それぞれの２次元コードが何番目に表示される２次元コードであるかを表す情報などが含まれている場合、全ての２次元コードの読み取りが完了していない状態で、例えば、顧客が操作部４０６の「現計」キーを押下してしまった場合など、誤った操作がされた場合には、ＣＰＵ４０１は、全ての２次元コードの読み取りが完了していない（ＮＯ）と判断する。そして、ステップＳ４４に進んで、顧客に対して次の２次元コードを読ませるように注意喚起するメッセージを、表示部４０５に表示することもできる。
【００９５】
このようにして、２次元コードの読み込みと、当該読み込んだ２次元コードに含まれている商品コードに基づいた商品名称の表示とを繰り返す。
【００９６】
続いて、ステップＳ４５において、全ての２次元コードの読み取りが完了した（ＹＥＳ）と判断した場合、ＣＰＵ４０１は、ＲＡＭ４０３に記憶している商品コード（バーコード）に基づいて、顧客の買い上げ明細を集計し、集計した顧客の買い上げ明細を表示部４０５に表示する（ステップＳ４６）。より具体的には、ＣＰＵ４０１は、顧客が買い上げる商品の商品コード（バーコード）、商品名称、価格、買い上げ点数、小計金額および総数量を表示部４０５に表示させる。なお、２次元コードの総数を表す情報が、買い上げ総金額や買い上げ総数量である場合、この買い上げ総金額または買い上げ総数量と、上記の小計金額または総数量とを比較し、全ての２次元コードが読み込まれたかのチェックを行う。
【００９７】
続いて、ＣＰＵ４０１は、顧客による操作部４０６の「お会計」キーなどの押下によって、会計を行うことを表す操作がされた場合、会計を済ませる（ステップＳ４７）。そして、会計完了後に、ＣＰＵ４０１は、会計用ＰＯＳレジスタ４０の印刷部４０９に、顧客が持ち帰る会計済みレシートを印刷させる。なお、会計済みのレシートを発行せず、２次元コードが印刷されたレシートを会計後のレシートとしてもよい。
【００９８】
なお、ステップＳ４７における会計の処理は、現金による会計や、クレジットカードなどのカードによる会計など、様々な会計方法がある。
【００９９】
上記に述べたとおり、本発明を実施するための形態によれば、会計用レシート５０の会計用コードに記録されている商品を、会計用ＰＯＳレジスタ４０によって容易に確認（照合）することができるので、安心して会計を行うことができ、会計のミスを減少させることができる。
【０１００】
また、本実施形態のＰＯＳシステム１においては、顧客の買い上げ商品の登録を、登録用ＰＯＳレジスタ２０と登録用携帯端末３０とのいずれにおいても行うことができる。このため、本実施形態のＰＯＳシステム１においては、例えば、登録用ＰＯＳレジスタ２０の前に登録待ちの行列が出来ている場合や、登録用ＰＯＳレジスタ２０が設置されていない店頭で特売品を販売する場合など、登録用携帯端末３０を携帯している店員が、登録用ＰＯＳレジスタ２０が設置されていない場所で顧客の買い上げ商品の登録を行うことができるので、商品を登録するための待ちの時間を短くすることができる効果も有する。これにより、登録待ちの顧客の行列を短くすることや、特売品の会計のみを行わせるなど、早く顧客を会計用ＰＯＳレジスタ４０による会計の処理に向かわせることができ、効率よく会計の処理を行うことができる。その結果、例えば、会計用ＰＯＳレジスタ４０が空いているにも関わらず、登録用ＰＯＳレジスタ２０によって登録するための登録待ちの時間が長くなっている、特売品のみを購入するのに登録用ＰＯＳレジスタ２０の前の登録待ちの行列に並ばなくてはならないなど、顧客の店の対応に対する不満を解消することができるという効果も有する。
【０１０１】
また、本実施形態のＰＯＳシステム１においては、顧客の買い上げ商品の登録を、登録の作業に慣れている店員が行うことにしたため、効率がよく買い上げ商品の登録を行うことができると共に、悪意の顧客による商品登録の改ざんなど、セキュリティ面を向上させることもできる。
【０１０２】
なお、例えば、登録用携帯端末３０（印刷装置３０９が接続されていなくとも可）を、来店した顧客が携帯し、顧客がそれぞれ買い上げ商品の登録を行う用にすることもできる。また、本実施形態のＰＯＳシステム１においては、会計用ＰＯＳレジスタ４０による会計処理を、それぞれの顧客が行う場合について説明したが、例えば、店員が会計用ＰＯＳレジスタ４０を操作して会計処理を行うようにすることもできる。また、例えば、クレジットカードなどのカードによる会計は顧客が行い、現金による会計は店員が行うようにすることもできる。
【０１０３】
また、本実施形態のＰＯＳシステム１においては、２次元コード（ＱＲコード（登録商標））に複数の商品コードの情報を含め、会計用レシート５０に印刷する場合について説明したが、これに限らず、１つのコードに複数の商品コードを含めてコード化することができるコードであれば、何のコードでもよい。
【０１０４】
また、本実施形態のＰＯＳシステム１においては、商品コードと商品コードを読み取った順番を含めて２次元コード（ＱＲコード（登録商標））とする場合について説明したが、これに限らず、予め商品名称の選出方法を、登録用ＰＯＳレジスタ２０、登録用携帯端末３０、および会計用ＰＯＳレジスタ４０で共通としておき、２次元コードに含まれている商品コードの順番のみで、際立たせて表示する商品名称を決定するようにすることもできる。
【０１０５】
また、本実施形態のＰＯＳシステム１においては、登録用ＰＯＳレジスタ２０または登録用携帯端末３０によって商品コードを読み取った際の読み取り順で所定の記録位置の情報を２次元コードに含めたが、これに限らない。例えば、商品コードを読み取る際には、読み取った順番で買い物かごに入れていく場合も考えられるため、商品コードを読み取った際の読み取り順と逆の順番で所定の記録位置の情報を２次元コードに含めてもよい。これにより、例えば、顧客は、２次元コードに含まれる商品名称の確認（照合）と、買い物かごの上部に位置する商品（現物）との確認（照合）を行うことができる。
【０１０６】
また、本実施形態のＰＯＳシステム１においては、１つの２次元コードに含めることができる商品コードの件数に関して、商品コードの件数が「８」と設定されている例を示したが、１つの２次元コードに含めることができる商品コードの件数は、本発明を実施するための形態に限定されるものではなく、本発明の趣旨を逸脱しない範囲において１つの２次元コードに含めることができる商品コードの件数を変更することができる。
【０１０７】
また、本実施形態のＰＯＳシステム１においては、登録用携帯端末３０における印刷装置３０９の接続は、ブルートゥース（Ｂｌｕｅｔｏｏｔｈ（登録商標））などの近距離無線通信である場合について説明したが、例えば、ＩｒＤＡ（Ｉｎｆｒａｒｅｄ  Ｄａｔａ  Ａｓｓｏｃｉａｔｉｏｎ）規格などの赤外線による光無線通信によって印刷装置３０９が接続される形態とすることもできる。また、例えば、ＵＳＢ（Ｕｎｉｖｅｒｓａｌ  Ｓｅｒｉａｌ  Ｂｕｓ）などの有線の高速シリアル通信によって印刷装置３０９が接続される形態とすることもできる。
【０１０８】
以上、本発明の一実施形態について、図面を参照して説明してきたが、具体的な構成はこの実施形態に限定されるものではなく、本発明の趣旨を逸脱しない範囲においての種々の変更も含まれる。
【符号の説明】
【０１０９】
１・・・ＰＯＳシステム
１０・・・ストアコントローラ
１１・・・ＬＡＮ
１２・・・アクセスポイント
２０・・・登録用ＰＯＳレジスタ
３０・・・登録用携帯端末
４０・・・会計用ＰＯＳレジスタ
５０・・・会計用レシート
２０１・・・ＣＰＵ
２０２・・・ＲＯＭ
２０３・・・ＲＡＭ
２０４・・・スキャナ部
２０５・・・表示部（店員用）
２０５ａ・・・表示部（客用）
２０６・・・操作部
２０７・・・通信部
２０８・・・ブザー
２０９・・・レシート印刷部
２１０・・・ハードディスク
３０１・・・ＣＰＵ
３０２・・・ＲＯＭ
３０３・・・ＲＡＭ
３０４・・・スキャナ部
３０５・・・表示部
３０５ａ・・・ＬＥＤ発光部
３０６・・・操作部
３０７・・・通信部
３０８・・・ブザー
３０９・・・印刷装置
３１０・・・電源制御部
３１１・・・充電式電池
４０１・・・ＣＰＵ
４０２・・・ＲＯＭ
４０３・・・ＲＡＭ
４０４・・・スキャナ部
４０５・・・表示部
４０６・・・操作部
４０７・・・通信部
４０８・・・ブザー
４０９・・・印刷部
【図１】
2012018532.tif 000003
【図２】
2012018532.tif 000004
【図３】
2012018532.tif 000005
【図４】
2012018532.tif 000006
【図５】
2012018532.tif 000007
【図６】
2012018532.tif 000008
【図７】
2012018532.tif 000009
【図８】
2012018532.tif 000010